(57)【要約】【課題】  追い焚き運転時間の短縮化を図りつつ、必要時に高温湯水を給湯できない等の給湯の使用制限を緩和し得るようにする。【解決手段】  貯湯タンクと、ヒートポンプ冷媒回路と、貯湯用循環路２２と、貯湯用循環ポンプ１６上流の第１流路切替え手段２９Ａと、浴槽内の浴槽水の追い焚き回路２６と、冷媒対水熱交換器６下流の第２流路切替え手段２９Ｂと、両端が第２流路切替え手段と第１流路切替え手段に接続され、追い焚き運転時に冷媒対水熱交換器で加熱された高温の湯を、追い焚き用熱交換器の第１加熱部１７Ａへ流して熱交換させた後に、第１流路切替え手段を介して貯湯用循環ポンプ上流の貯湯用循環路へ戻す第１追い焚き加熱用回路２７と、追い焚き運転時に貯湯タンク内の高温の湯を追い焚き用熱交換器の第２加熱部１７ＡＡへ流して熱交換させた後に貯湯タンク内の中間高さ位置へ戻す第２追い焚き用加熱回路２８とを備えている。【選択図】      図１
2005061662.tif 000002
【特許請求の範囲】
【請求項１】
湯水を貯溜する貯湯タンクと、圧縮機、冷媒対水熱交換器、減圧装置及び蒸発器を環状に接続して構成したヒートポンプ冷媒回路と、
貯湯用循環ポンプ及び冷媒対水熱交換器を環状に接続して構成され、貯湯タンク内の下部の湯水を冷媒対水熱交換器に循環させて加熱すると共に、この加熱された湯水を貯湯タンク内の上部へ戻す貯湯用循環路と、
前記貯湯用循環ポンプよりも上流の貯湯用循環路に設けられた第１流路切替え手段と、
追い焚き用ポンプ及び追い焚き用熱交換器を有して構成され、浴槽内の浴槽水を追い焚き用熱交換器の被加熱部側に循環させて加熱すると共に、この加熱された浴槽水を浴槽内に戻す追い焚き回路と、
前記冷媒対水熱交換器よりも下流の貯湯用循環路に設けられた第２流路切替え手段と、
前記第２流路切替え手段に始端が接続されると共に終端が前記第１流路切替え手段に接続され、追い焚き運転時に前記冷媒対水熱交換器で加熱された高温の湯を、前記追い焚き用熱交換器に設けられた第１加熱部へ流して熱交換させ、その熱交換後の湯水は、前記第１流路切替え手段を介して貯湯用循環ポンプよりも上流の貯湯用循環路へ戻す第１追い焚き加熱用回路と、
追い焚き加熱用ポンプを有し、追い焚き運転時に前記貯湯タンク内上部の高温の湯を前記追い焚き用熱交換器に設けられた第２加熱部へ流して熱交換させ、その熱交換後の湯水は、前記貯湯タンク内の中間高さ位置へ戻す第２追い焚き用加熱回路とを備えたことを特徴とするヒートポンプ給湯装置。
【請求項２】
前記第１追い焚き加熱用回路は、追い焚き運転時の追い焚き運転負荷に応じて優先的に動作させたことを特徴とする請求項１に記載のヒートポンプ給湯装置。
【請求項３】
前記第１追い焚き加熱用回路と前記第２追い焚き加熱用回路は、追い焚き運転時の追い焚き運転負荷に応じて、一方が単独で動作したり、或いは双方が同時に動作したり動作切替可能としたことを特徴とする請求項１又は２に記載のヒートポンプ給湯装置。
【請求項４】
前記第１流路切替え手段及び第２流路切替え手段が、それぞれ電動三方弁であることを特徴とする請求項１に記載のヒートポンプ給湯装置。
【発明の詳細な説明】
【技術分野】
【０００１】
本発明は、ヒートポンプ冷媒回路にて加熱された高温水との間接熱交換加熱により浴槽内の浴槽水の追い焚きや保温を行うようにした追い焚き機能付きのヒートポンプ給湯装置に関する。
【背景技術】
【０００２】
従来、この種の追い焚き機能付きのヒートポンプ給湯装置では、浴槽水の循環路の途中に電気ヒータを設け、この電気ヒータでの加熱によって浴槽水の追い焚き或いは保温を行うものや、貯湯タンク内に熱交換器を配置し、この熱交換器に浴槽内の浴槽水を循環させて、電気ヒータを用いることなく、追い焚き或いは保温を行うもの（特許文献１参照）、また、貯湯タンクの外部に水対水熱交換器を配置し、この水対水熱交換器の加熱部側に貯湯タンク内の湯水を循環させると共に、浴槽内の浴槽水を水対水熱交換器の被加熱部側に循環させて、電気ヒータを用いることなく、追い焚き或いは保温を行うもの（特許文献２参照）が知られている。
【特許文献１】特開２００２−２２２６６号公報
【特許文献２】特開２００３−２４３２７５号公報
【発明の開示】
【発明が解決しようとする課題】
【０００３】
ところで、電気ヒータを用いて浴槽水の追い焚きや保温を行うものでは、追い焚きのための構成を簡素化できる利点があるが、消費電力が多いばかりでなく、追い焚き時の加熱能力が低いという問題があった。
【０００４】
また、貯湯タンク内に熱交換器を配置し、この熱交換器に浴槽内の浴槽水を循環させて、電気ヒータを用いることなく、追い焚き或いは保温を行うものでは、追い焚き時の加熱に貯湯タンク内の湯を直接利用する関係上、熱交換器の熱交換能力（容量）に応じて追い焚き加熱能力を高くすることが可能であるが、長時間にわたって、或いは頻繁に浴槽の追い焚き機能を働かせると、貯湯タンク内の湯水の温度が貯湯タンク全体にわたって低下してしまい、高温の湯水を必要な時に利用部へ給湯できなくなる心配があった。
【０００５】
また、貯湯タンクの外部に水対水熱交換器を配置し、この水対水熱交換器の加熱部側に貯湯タンク内の湯水を循環させると共に、浴槽内の浴槽水を水対水熱交換器の被加熱部側に循環させて、やはり、電気ヒータを用いることなく、追い焚き或いは保温を行うものでも、長時間にわたって、或いは頻繁に浴槽の追い焚き機能を働かせると、貯湯タンク内の湯水の温度低下により、高温の湯水を必要な時に利用部へ給湯できなくなる心配があった。
【０００６】
そこで、本発明の目的は、上述した従来技術が有する課題を解消し、追い焚き運転時間の短縮化を図りつつ、必要時に高温湯水を給湯できない等の給湯の使用制限を緩和し得るようにする。
【課題を解決するための手段】
【０００７】
請求項１に記載の発明は、湯水を貯溜する貯湯タンクと、圧縮機、冷媒対水熱交換器、減圧装置及び蒸発器を環状に接続して構成したヒートポンプ冷媒回路と、貯湯用循環ポンプ及び冷媒対水熱交換器を環状に接続して構成され、貯湯タンク内の下部の湯水を冷媒対水熱交換器に循環させて加熱すると共に、この加熱された湯水を貯湯タンク内の上部へ戻す貯湯用循環路と、前記貯湯用循環ポンプよりも上流の貯湯用循環路に設けられた第１流路切替え手段と、追い焚き用ポンプ及び追い焚き用熱交換器を有して構成され、浴槽内の浴槽水を追い焚き用熱交換器の被加熱部側に循環させて加熱すると共に、この加熱された浴槽水を浴槽内に戻す追い焚き回路と、前記冷媒対水熱交換器よりも下流の貯湯用循環路に設けられた第２流路切替え手段と、前記第２流路切替え手段に始端が接続されると共に終端が前記第１の流路切替え手段に接続され、追い焚き運転時に前記冷媒対水熱交換器で加熱された高温の湯を、前記追い焚き用熱交換器に設けられた第１加熱部へ流して熱交換させ、その熱交換後の湯水は、前記第１流路切替え手段を介して貯湯用循環ポンプよりも上流の貯湯用循環路へ戻す第１追い焚き加熱用回路と、追い焚き加熱用ポンプを有し、追い焚き運転時に前記貯湯タンク内上部の高温の湯を前記追い焚き用熱交換器に設けられた第２加熱部へ流して熱交換させ、その熱交換後の湯水は、前記貯湯タンク内の中間高さ位置へ戻す第２追い焚き用加熱回路とを備えたことを特徴とする。
【０００８】
請求項２に記載の発明は、請求項１に記載のヒートポンプ給湯装置において、前記第１追い焚き加熱用回路は、追い焚き運転時の追い焚き運転負荷に応じて優先的に動作する構成としたことを特徴とする。
【０００９】
請求項３に記載の発明は、請求項１又は２に記載のヒートポンプ給湯装置において、前記第１追い焚き加熱用回路と前記第２追い焚き加熱用回路は、追い焚き運転時の追い焚き運転負荷に応じて、一方が単独で動作したり、或いは双方が同時に動作したり動作切替可能としたことを特徴とする。
【００１０】
請求項４に記載の発明は、請求項１に記載のヒートポンプ給湯装置において、前記第１流路切替え手段及び第２流路切替え手段が、それぞれ電動三方弁であることを特徴とする。
【発明の効果】
【００１１】
本発明では、追い焚き運転負荷が大きい場合は、ヒートポンプユニットのヒートポンプ運転を利用すると同時に、貯湯タンク内上部の高温の湯を使用して追い焚き用熱交換器の熱交換能力を高めた追い焚き運転が行え、また、追い焚き運転負荷が小さい場合には、貯湯タンク内上部の高温の湯を使用せずにヒートポンプユニットのヒートポンプ運転のみを利用した追い焚き運転が行えるため、追い焚き運転時間の短縮化を図りつつ、必要時に高温湯水を給湯できない等の給湯の使用制限を緩和し、使い勝手に優れたヒートポンプ給湯装置を提供できる。
【実施例１】
【００１２】
以下、本発明の第１実施例を図１及び図２に基づいて説明すると、図１は、本発明の第１実施例に係るヒートポンプ給湯装置の追い焚き運転時を示す全体構成図、図2は、同じく沸き上げ運転時を示す全体構成図である。
【００１３】
図１及び図２において、１はヒートポンプ給湯装置であり、このヒートポンプ給湯装置は、ヒートポンプユニット２と、このヒートポンプユニット２にユニット間配管で接続された給湯ユニット３とからなる概略構成である。また、４はこのヒートポンプ給湯装置１から温水配管（図示せず）及び蛇口（図示せず）等を介して湯が供給される浴槽である。
【００１４】
前記ヒートポンプユニット２は、回転数可変型の圧縮機５、冷媒対水熱交換器６、電動膨張弁にてなる減圧装置７、蒸発器８、アキュムレータ９、蒸発器８に通風する送風機１０及びヒートポンプ制御装置１１などを外装体１２内に収容している。
【００１５】
前記圧縮機５、冷媒対水熱交換器６の加熱部６Ａ、減圧装置７、蒸発器８及びアキュムレータ９等は、冷媒配管１３にて環状に順次接続されて、主として二酸化炭素（ＣＯ2）を冷媒とするヒートポンプ冷媒回路１４を構成している。また、前記した自然冷媒である二酸化炭素冷媒は、ガス冷媒が圧縮機５によって超臨界圧力まで加圧されて冷媒対水熱交換器６の加熱部６Ａに送りこまれるため、前記冷媒対水熱交換器６の被加熱部６Ｂ側に流れる湯水を、熱交換によって９０℃以上に加熱することが可能である。前記冷媒対水熱交換器６は、冷媒が流れる加熱部６Ａと、前記給湯ユニット３からの湯水が流れる被加熱部６Ｂとを、熱交換関係に一体化させた構造に形成されている。
【００１６】
前記給湯ユニット３は、前記ヒートポンプユニット２にて加熱された湯水を貯溜するための貯湯タンク１５、貯湯用循環ポンプ１６、前記浴槽４の浴槽水を追い焚きするための追い焚き用熱交換器１７、追い焚き用ポンプ１８及び貯湯ユニット制御装置１９などを外装ケース２０内に収容して構成している。そして、前記貯湯タンク１５は、約２４０〜３７０Ｌの貯湯量を有する大きさである。
【００１７】
前記貯湯タンク１５と、貯湯用循環ポンプ１６と、前記冷媒対水熱交換器６の被加熱部６Ｂとは、ユニット間配管としての温水配管２１にて環状に接続されて、貯湯タンク１５内の湯水を沸き上げるための貯湯用循環路２２を構成している。ここで、前記貯湯タンク１５の下端部には、貯湯用循環路２２に連なる往き口部２３と、市水道などの水道配管（図示せず）に接続される給水管２４Ａが設けられ、一方、貯湯タンク１５の頂部（上部）には、前記した浴槽４や厨房の蛇口（図示せず）等の利用部に給湯する給湯管２４Ｂが設けられると共に、貯湯用循環路２２に連なる戻り口部２５が形成されている。
【００１８】
前記貯湯用循環路２２は、貯湯用循環ポンプ１６の運転時に、貯湯タンク１５内下部の常温水或いは低温水を往き口部２３から貯湯用循環ポンプ１６を介して冷媒対水熱交換器６の被加熱部６Ｂ側に循環させ、そして、加熱部６Ａを流れる高温高圧のガス冷媒と熱交換させて約９０℃の高温に加熱し、その加熱された高温水を貯湯タンク１５の戻り口部２５から再び貯湯タンク１５内の上部へ戻すように構成している。
【００１９】
また、前記前記貯湯用循環路２２における貯湯用循環ポンプ１６の上流、即ち、貯湯用循環ポンプ１６と前記往き口部２３との間、そして、前記冷媒対水熱交換器６の被加熱部６Ｂの下流、即ち、その被加熱部６Ｂと戻り口部２５との間の双方には、流路を切替えるための第１電動三方弁（第１流路切替え手段）２９Ａと第２電動三方弁（第２流路切替え手段）２９Ｂがそれぞれ設けられている。
【００２０】
前記追い焚き用熱交換器１７の被加熱部１７Ｂと浴槽４とは、追い焚き用ポンプ１８を介して浴槽用配管２６Ａにより環状に接続され、浴槽４内の浴槽水を追い焚き或いは保温するための追い焚き回路２６を構成しており、前記追い焚き用ポンプ１８の上流には追い焚き回路２６を流れる浴槽水の温度を検出するための温度センサＳを設けている。また、前記追い焚き用熱交換器１７は、加熱用の湯水が流れる第１加熱部１７Ａ及び第２加熱部１７ＡＡと、浴槽４からの浴槽水が流れる被加熱部１７Ｂとを、熱交換関係に一体化させた構造になっている。
【００２１】
前記追い焚き回路２６は、追い焚き運転時或いは保温運転時に、追い焚き用ポンプ１８の駆動により、浴槽４内の浴槽水が追い焚き用熱交換器１７の被加熱部１７Ｂ側に循環して加熱され、この加熱された浴槽水は、再び浴槽４内に戻り、浴槽水の温度を設定した所望の温度に上昇させる。
【００２２】
２７は第１追い焚き加熱用回路であり、この第１追い焚き加熱用回路２７は、始端が前記第２電動三方弁２９Ｂの一つの接続部に接続され、それの途中が前記追い焚き用熱交換器１７の第１加熱部１７Ａに繋がれ、かつ、終端が前記第１電動三方弁２９Ａの一つの接続部に繋がれている。そして、第１追い焚き加熱用回路２７は、追い焚き用熱交換器１７の第１加熱部１７Ａで熱交換した後の湯水を、貯湯用循環ポンプ１６よりも上流の貯湯用循環路２２に戻すようにしている。
【００２３】
また、前記第１電動三方弁２９Ａは、それの切替え動作により、第１追い焚き加熱用回路２７の終端を前記貯湯用循環ポンプ１６よりも上流の貯湯用循環路２２に連通させたり、或いは非連通にさせたり動作するものである。
【００２４】
前記第２電動三方弁２９Ｂは、それの切替え動作により、第１追い焚き加熱用回路２７の始端を、前記前記冷媒対水熱交換器６の被加熱部６Ｂよりも下流の貯湯用循環路２２に連通させたり、或いは非連通にさせたり動作するものである。
【００２５】
そして、図２に示すように、前記第１電動三方弁２９Ａ及び第２電動三方弁２９Ｂの双方を、第１追い焚き加熱用回路２７と非連通の状態にして、沸き上げ運転を行うものである。
【００２６】
２８は第２追い焚き加熱用回路であり、この第２追い焚き加熱用回路２８は、前記貯湯タンク１５の上部（頂部）に設けられ出口部２８Ａを始端として、それの途中に前記追い焚き用熱交換器１７の第２加熱部１７ＡＡと追い焚き加熱用ポンプＰが設けられ、この追い焚き加熱用ポンプＰよりも下流の終端は、前記貯湯タンク１５内の中間高さ位置に臨ませている。
【００２７】
第１追い焚き加熱用回路２８は、追い焚き加熱用ポンプＰの駆動によって前記貯湯タンク１５内上部の高温の湯を出口部２８Ａから導出させて、前記追い焚き用熱交換器１７の第２加熱部１７ＡＡへ流して熱交換させ、その熱交換後の湯水は、追い焚き加熱用ポンプＰを介して、貯湯タンク１５内の中間高さ位置に戻す構成としている。
【００２８】
図１に示す３０は、厨房などに設置される台所用リモコン、３１は浴室近くに設置される風呂リモコンを示し、それらは何れも信号線３２によって前記貯湯ユニット制御装置１９に接続されて、この貯湯ユニット制御装置１９と各種の運転信号の授受が行われる。前記風呂リモコン３１には、浴槽水の温度を設定する風呂温度設定手段３３、追い焚き運転スイッチ３４及び保温運転スイッチ３５等を備えている。
【００２９】
また、前記ヒートポンプ制御装置１１と貯湯ユニット制御装置１９は、信号線３６にて接続されており、前記両制御装置１１、１９間も各種の運転信号の授受が行われる。
【００３０】
また、前記貯湯ユニット制御装置１９は、前記風呂リモコン３１から追い焚き運転スイッチ３４のオン信号が入力されると、風呂温度設定手段３３にて設定された設定温度と、前記温度センサＳにて検出された検出温度（浴槽水の温度）とを比較手段（図示せず）で比較し、その温度差が予め定められた所定値以上の場合（追い焚き運転負荷が所定以上の場合）は、熱要求が大きいので、追い焚き用ポンプ１８を駆動させると共に、貯湯用循環ポンプ１６及び追い焚き加熱用ポンプＰの双方を駆動させるように制御して、前記第１追い焚き加熱用回路２７と第２追い焚き加熱用回路２８の双方を併用させた追い焚き運転を実行する。
【００３１】
また、前記設定温度と検出温度との温度差が所定値未満の場合（追い焚き運転負荷が所定未満の場合）は、熱要求が小さいので、前記貯湯ユニット制御装置１９は、追い焚き用ポンプ１８を駆動させると共に、貯湯用循環ポンプ１６を駆動させるように（追い焚き加熱用ポンプＰは停止）制御し、前記第１追い焚き加熱用回路２７を優先して単独で動作させる追い焚き運転を実行する。
【００３２】
次に上述の第１実施例における沸き上げ運転動作について、図２を用いて説明する。この沸き上げ運転時は、前記第１電動三方弁２９Ａと第２電動三方弁２９Ｂが、図２に示す状態になる。即ち、第1電動三方弁２９Ａは、貯湯用循環ポンプ１６側と貯湯タンク１５下部の往き口部２３側とが連通状態になると共に、第１追い焚き加熱用回路２７の終端が閉塞された状態になり、第２電動三方弁２９Ｂは、冷媒対水熱交換器６の被加熱部６Ｂの下流側と戻り口部２５の上流側とが連通状態になると共に、第１追い焚き加熱用回路２７の始端が閉塞された状態になる。
【００３３】
この状態で、貯湯用循環ポンプ１６が駆動すると、貯湯タンク１５内下部の低温水が、往き口部２３から第１電動三方弁２９Ａ、循環ポンプ１６、冷媒体水熱交換器６の被加熱部６Ｂへと循環される。この冷媒体水熱交換器６の被加熱部６Ｂに循環された低温水は、そこで加熱部６Ａに流れる二酸化炭素冷媒の高温・高圧ガスと熱交換して約９０℃に加熱昇温される。この加熱された高温水は、第１追い焚き加熱用回路２７の始端が第２電動三方弁２９Ｂにて閉塞されているため、第１追い焚き加熱用回路２７側に流れること無く、第２電動三方弁２９Ｂを介して貯湯タンク１５側へと流れて、戻り口部２５から貯湯タンク１５内の上部へと戻される。
【００３４】
上述の沸き上げ運転を続行すると、貯湯タンク１５内は、高温の湯水の層（湯層）が上部から中部、さらには下部へ移り、貯湯タンク１５内の殆どに高温の湯水を貯溜させることが可能になる。こうして貯湯タンク１５内に貯溜された湯水は、給湯管２４Ｂを通って浴槽４や厨房、洗面所等の利用部へ給湯される。
【００３５】
次に、浴槽水の追い焚き運転動作について、図１を用いて説明する。例えば、風呂リモコン３１の追い焚き運転スイッチ３４をオン操作すると、その運転信号が貯湯ユニット制御装置１９に入力される。この運転信号の入力により、貯湯ユニット制御装置１９は、前記第１電動三方弁２９Ａと第２電動三方弁２９Ｂを図２に示す状態から図１に示す状態へと切替え動作させる。
【００３６】
即ち、第１電動三方弁２９Ａは、貯湯用循環ポンプ１６側と貯湯タンク１５下部の往き口部２３側が閉塞状態になると共に、第１追い焚き加熱用回路２７の終端が貯湯用循環ポンプ１６の上流の貯湯用循環路２２に連通された状態になり、第２電動三方弁２９Ｂは、第１追い焚き加熱用回路２７の始端が冷媒対水熱交換器６の被加熱部６Ｂの下流側に連通された状態になると共に、戻り口部２５の上流の貯湯用循環路２２が閉塞状態になる。
【００３７】
上述した第１電動三方弁２９Ａ及び第２電動三方弁２９Ｂの流路切替え動作が終了した時点で、貯湯ユニット制御装置１９は、貯湯用循環ポンプ１６を駆動すると共に追い焚き用ポンプ１８を駆動する。ここで、追い焚き用ポンプ１８の駆動により追い焚き回路２６を浴槽４の浴槽水が循環し、このとき、前記風呂温度設定手段３３にて設定された設定温度と、温度センサＳにて検出された検出温度との差が予め定められた所定値以上（例えば、５ｄｅｇ以上）の場合、貯湯ユニット制御装置１９は、貯湯用循環ポンプ１６及び追い焚き加熱用ポンプＰの双方を駆動させた追い焚き運転を開始する。
【００３８】
そして、前記貯湯用循環ポンプ１６の駆動により、貯湯用循環路２２内の湯水が、循環ポンプ１６を通って冷媒体水熱交換器６の被加熱部６Ｂへと循環され、この冷媒体水熱交換器６の被加熱部６Ｂに循環された湯水は、加熱部６Ａに流れる二酸化炭素冷媒の高温・高圧ガスと熱交換して約９０℃に加熱昇温される。この加熱された高温水は、貯湯タンク１５側へ流れること無く、第１追い焚き加熱用回路２７側に流れて追い焚き用熱交換器１７の第１加熱部１７Ａへ循環される。その第１加熱部１７Ａへ循環された高温水は、追い焚き用ポンプ１８の駆動に伴い、追い焚き回路２６を通って追い焚き用熱交換器１７の被加熱部１７Ｂへ循環された浴槽水と熱交換し、この浴槽水を加熱昇温させる。この追い焚き用熱交換器１７の被加熱部１７Ｂで加熱された浴槽水は、再び浴槽４に戻され、この浴槽４内の浴槽水全体の温度を徐々に上昇させる。そして、前記第１加熱部１７Ａで熱交換した後の温度低下した湯水は、第１電動三方弁２９Ａを介して貯湯用循環ポンプ１６の上流の貯湯用貯湯用循環路２２に戻される。
【００３９】
一方、追い焚き加熱用ポンプＰの駆動により、貯湯タンク１５内上部の高温の湯が、出口部２８Ａから第２追い焚き加熱用回路２８に導出されて、追い焚き用熱交換器１７の第２加熱部１７ＡＡへ循環される。その第２加熱部１７ＡＡへ循環された高温水は、被加熱部１７Ｂを流れる浴槽水と熱交換し、その浴槽水を第１加熱部１７Ａでの熱交換作用と相俟って熱交換能力の高い状態で加熱昇温させる。そして、第２加熱部１７ＡＡで熱交換した後の温度低下した湯水は、追い焚き加熱用ポンプＰを介して貯湯タンク１５内の中間高さ位置に臨ませた追い焚き加熱用ポンプＰの終端から貯湯タンク１５内へ戻される。
【００４０】
上述した追い焚き運転動作は、第１追い焚き加熱用回路２７と第２追い焚き加熱用回路２８の双方が併用されて同時に動作状態になる追い焚き運転であり、この第１追い焚き加熱用回路２７及び第２追い焚き加熱用回路２８の併用の追い焚き運転は、追い焚き用熱交換器１７の熱交換能力が高く、追い焚き時間を短縮させるのに有効である。
【００４１】
上述の追い焚き運転動作中に、風呂温度設定手段３３にて設定された設定温度と、温度センサＳにて検出された検出温度との差が予め定められた所定値未満（例えば、３ｄｅｇ未満）になると、貯湯ユニット制御装置１９は、貯湯用循環ポンプ１６の駆動を継続させたままで、追い焚き加熱用ポンプＰの駆動を停止させる追い焚き運転に移行する。
【００４２】
この追い焚き加熱用ポンプＰの駆動を停止させた追い焚き運転動作は、第１追い焚き加熱用回路２７のみが動作状態となる追い焚き運転であり、上述した第１追い焚き加熱用回路２７と第２追い焚き加熱用回路２８が同時に動作しての追い焚き運転に比べて、追い焚き用熱交換器１７での熱交換能力は略半減するが、この第１追い焚き加熱用回路２７の単独動作での追い焚き運転では、貯湯タンク１５内の高温の湯が消費されない利点がある。
【００４３】
上記した追い焚き運転動作は、前記風呂リモコン３１の追い焚き運転スイッチ３４を、再び押して追い焚き運転を解除するか、或いは前記温度センサＳの検出温度が風呂温度設定手段３３にて設定された設定温度に達すると自動的に停止される。
【００４４】
本発明は以上のように構成されているから、追い焚き運転時に、前記風呂温度設定手段３３にて設定された設定温度と、温度センサＳにて検出された検出温度との差が予め定められた所定値以上（例えば、５ｄｅｇ以上）の場合、貯湯ユニット制御装置１９は、貯湯用循環ポンプ１６及び追い焚き加熱用ポンプＰの双方を駆動させて、第１追い焚き加熱用回路２７と第２追い焚き加熱用回路２８の双方が併用された同時動作状態になり、ヒートポンプユニット２のヒートポンプ運転を利用しつつ、貯湯タンク１５内上部の高温水を利用した浴槽水の追い焚き運転が実行され、風呂温度設定手段３３にて設定された設定温度と、温度センサＳにて検出された検出温度との差が予め定められた所定値未満（例えば、３ｄｅｇ未満）になると、貯湯用循環ポンプ１６の駆動を継続させたままで、追い焚き加熱用ポンプＰの駆動を停止させる追い焚き運転に移行させ、第１追い焚き加熱用回路２７のみが動作状態となる追い焚き運転に動作切替えする。そのため、追い焚き運転負荷が大きい場合は、追い焚き用熱交換器１７の熱交換能力を高めて、追い焚き時間の短縮化を図ると共に、追い焚き運転負荷が小さい場合は、第１追い焚き加熱用回路２７のみを動作させて、貯湯タンク１５内の高温の湯を使用しない追い焚き運転が行えるものであり、追い焚き運転時間を短縮させつつ、必要時に高温湯水を給湯できない等の給湯の使用制限を緩和でき、使い勝手に優れたヒートポンプ給湯装置となせるものである。
【００４５】
尚、浴槽水の保温運転時には、ヒートポンプユニット２の圧縮機５の回転数を低回転数に落として、ヒートポンプユニット２の加熱能力を低下させた低出力運転を行わせると共に、第１追い焚き用加熱回路２７を単独運転動作させることが好ましい。
【００４６】
また、本発明は、上述の一実施例に限定されるものでなく、要旨を逸脱しない範囲で種々の変更が可能である。
【図面の簡単な説明】
【００４７】
【図１】本発明の第１実施例に係るヒートポンプ給湯装置の追い焚き運転時を示す全体構成図である。
【図２】同じく、第１実施例に係るヒートポンプ給湯装置の沸き上げ運転時を示す全体構成図である。
【符号の説明】
【００４８】
１      ヒートポンプ給湯装置
２      ヒートポンプユニット
３      給湯ユニット
４      浴槽
５      圧縮機
６      冷媒対水熱交換器
６Ａ    冷媒対水熱交換器の加熱部
６Ｂ    冷媒対水熱交換器の被加熱部
７      減圧装置
８      蒸発器
１４      ヒートポンプ冷媒回路
１５      貯湯タンク
１６      貯湯用循環ポンプ
１７      追い焚き用熱交換器
１７Ａ    追い焚き用熱交換器の第１加熱部
１７ＡＡ  追い焚き用熱交換器の第２加熱部
１７Ｂ    追い焚き用熱交換器の被加熱部
１８      追い焚き用ポンプ
２２      貯湯用循環路
２３      往き口部
２５      戻り口部
２６      追い焚き回路
２７      第１追い焚き加熱用回路
２８      第２追い焚き加熱用回路
２８Ａ    出口部
２９Ａ    第１電動三方弁（第１流路切替え手段）
２９Ｂ    第２電動三方弁（第２流路切替え手段）
Ｐ        追い焚き加熱用ポンプ
【図１】
2005061662.tif 000003
【図２】
2005061662.tif 000004